(57)【要約】【課題】この発明は、小形化を図ったうえで、簡便にして容易なケーブル着脱作業を実現すると共に、設置スペースの最小化を図り得るようにすることにある。【解決手段】機器筐体１０の背面の上下方向に複数のコネクタ取付部１１１を併設して配置し、この複数のコネクタ取付部１１１に斜め上方に傾斜させたコネクタ設置面１１２を設けて、このコネクタ設置面１１２に斜め上方に向けて複数の同軸コネクタ１２を上下方向と直交する方向に併設して配置するように構成したものである。【選択図】図１
2009059529.tif 000002
【特許請求の範囲】
【請求項１】
壁面からそれぞれ突出され、且つ、上下方向に併設されて配置される複数のコネクタ取付部が設けられた機器筐体と、
前記複数のコネクタ取付部にそれぞれ斜め上方に向けて配置され、同軸ケーブルが着脱される複数の同軸コネクタと、
を具備することを特徴とする電子機器。
【請求項２】
前記複数のコネクタ取付部には、それぞれ斜め上方に傾斜したコネクタ設置面が設けられ、このコネクタ設置面に前記同軸コネクタが前記上下方向と直交する方向に複数個、併設されて配置されることを特徴とする請求項１記載の電子機器。
【請求項３】
前記コネクタ取付部のコネクタ設置面に併設配置される複数の同軸コネクタは、隣接する他のコネクタ取付部のコネクタ設置面に併設配置される複数の同軸コネクタと併設方向に互い違いに配置されることを特徴とする請求項２記載の電子機器。
【請求項４】
前記複数のコネクタ取付部は、前記機器筐体の背面に配置されることを特徴とする請求項１乃至３のいずれか記載の電子機器。
【請求項５】
前記複数の同軸コネクタには、同軸ケーブルを介してＲＦ信号を輻射する複数系統のアンテナがそれぞれ配線接続されることを特徴とする請求項１乃至４のいずれか記載の電子機器。
【請求項６】
前記複数のコネクタ取付部は、コネクタパネルを介して前記機器筐体に配置されることを特徴とする請求項１乃至５のいずれか記載の電子機器。
【発明の詳細な説明】
【技術分野】
【０００１】
この発明は、例えば無線航法施設等に用いられるＤＶＯＲ（Doppler VHF Omnidirectional Radio Range）装置等の電子機器に関する。
【背景技術】
【０００２】
一般に、ＤＶＯＲ装置は、航空機に基準点磁北からの方位情報を与えるために使用されていることが知られている。このようなＤＶＯＲ装置には、キャリアアンテナと、キャリアアンテナを中心として円形状に配列された、複数、例えば４８個のサイドバンドアンテナを備え、そのキャリアアンテナから方位に関係ない一定位相のＲＦ（Radio Frequency）信号が輻射され、そのサイドバンドアンテナから方位により位相が変化するＲＦ信号が輻射される。
【０００３】
一方、無線航法施設を利用する航空機には、受信機が搭載され、この受信機でＤＶＯＲ装置からの２つの信号を受信して比較することにより、その受信地点で基準点となるＤＶＯＲ装置からの方位を知ることができる。この際、ＤＶＯＲ装置は、サイドバンドアンテナからのＲＦ信号を、サイドバンド送信機のディストリビュータ部で出力のタイミングを切換え、同軸コネクタを介してサイドバンドアンテナへ出力することにより、ＲＦ信号をサイドバンドアンテナから輻射する（例えば、特許文献１参照。）。
【０００４】
ところで、このようなＤＶＯＲ装置は、その機器筐体の壁面に、例えば５２個と多数の同軸コネクタが所定の間隔に配置されている。この５２個の同軸コネクタは、機器筐体内に収容配置される送信機等の内部機器に電気的に接続される。
【０００５】
そして、この機器筐体に配した５２個の同軸コネクタには、上記１個のキャリアアンテナ、４８個のサイドバンドアンテナ及び３個のモニターアンテナがそれぞれ同軸ケーブルを用いて配線接続されて航空機の航法に供される。
【特許文献１】特公平６−７５１０２号公報
【発明の開示】
【発明が解決しようとする課題】
【０００６】
しかしながら、上記ＤＶＯＲ装置では、５２個と多数の同軸コネクタに対して許容曲げ半径を有する同軸ケーブルを、それぞれ配線接続する構成上、機器筐体を据え付け配置する場合、その同軸ケーブルの曲げスペースを確保しなければならないために、同軸コネクタの配置される壁面側に広い設置スペースを設ける必要があるという問題を有する。
【０００７】
また、同軸ケーブルのアンテナへの配線経路を考慮して、５２個の同軸コネクタを機器筐体の上面側に配置し、同軸ケーブルの曲げ配線をなくすことも考えられるが、同軸ケーブルの着脱作業を考慮すると、コネクタの設置間隔を広くしたりしなければならないために、機器筐体の大形化を招くという問題を有する。
【０００８】
係る事情は、ＤＶＯＲ装置に限るものでなく、同軸ケーブルが配線接続される多数の同軸コネクタを備える送受信機等の電子機器においても同様である。
【０００９】
この発明は、上記の事情に鑑みてなされたもので、小形化を図ったうえで、簡便にして容易なケーブル着脱作業を実現し得、且つ、設置スペースの最小化を図り得るようにした電子機器を提供することを目的とする。
【課題を解決するための手段】
【００１０】
この発明は、壁面からそれぞれ突出され、且つ、上下方向に併設されて配置される複数のコネクタ取付部が設けられた機器筐体と、前記複数のコネクタ取付部にそれぞれ斜め上方に向けて配置され、同軸ケーブルが着脱される複数の同軸コネクタとを備えて電子機器を構成した。
【００１１】
上記構成によれば、コネクタ取付部の同軸コネクタに対して同軸ケーブルが、機器筐体の上面側から装着されると、該同軸ケーブルは、同軸コネクタの向きに倣って機器筐体の壁面に近接した大きな曲げ半径となる経路で機器筐体の上方に引き出される。これにより、同軸ケーブルを、機器筐体の壁面に接近させた状態で、同軸コネクタに対して配線接続することが可能となり、同軸ケーブルの同軸コネクタへの簡便にして容易な着脱作業を実現することができ、しかも、機器筐体の設置スペースの省スペース化を図ることが可能となる。
【発明の効果】
【００１２】
以上述べたように、この発明によれば、小形化を図ったうえで、簡便にして容易なケーブル着脱作業を実現し得、且つ、設置スペースの最小化を図り得るようにした電子機器を提供することができる。
【発明を実施するための最良の形態】
【００１３】
以下、この発明の実施の形態について、図面を参照して詳細に説明する。
【００１４】
図１及び図２は、この発明の一実施の形態に係る電子機器の概観を示すもので、図１は、例えばＤＶＯＲ装置を構成する機器筐体１０の側面を示し、図２は、該機器筐体１０の背面を示す。
【００１５】
即ち、機器筐体１０の背面には、コネクタパネル１１が取付けられる。このコネクタパネル１１は、例えば金属板を折り曲げ加工して形成され、略三角柱形状のコネクタ取付部１１１が複数、例えば５列、筐体上下方向に所定の間隔を有して突出されて設けられている。そして、この５列のコネクタ取付部１１１には、斜め上方に傾斜されたコネクタ設置面１１２がそれぞれ設けられる。
【００１６】
この複数のコネクタ取付部１１１のコネクタ設置面１１２には、それぞれ接続座である、例えばＮ型の同軸コネクタ１２が、隣接するコネクタ取付部１１１のコネクタ設置面１１２に併設配置される同軸コネクタ１２と併設方向に、いわゆる千鳥状に互い違いに位置をずらせて複数、例えば５２個が併設されて配置される（図２参照）。ここで、同軸コネクタ１２は、隣接するコネクタ取付部１１１のコネクタ設置面１１２の同軸コネクタ１２間に、そのケーブル着脱部位がそれぞれコネクタ設置面１１２上に突出して設けられ、機器筐体１０の背面側に斜め上方に向けて傾斜されて配置される。
【００１７】
ここで、同軸コネクタ１２は、５２個が、上記コネクタパネル１１の５列のコネクタ取付部１１１のコネクタ設置面１１２に分離されて配置され、それぞれが上記機器筐体１０内に収容配置された図示しない送信機にディストリビュータを介して電気的に配線接続される。これにより、同軸コネクタ１２を多数、接近させて配置することが可能となり、機器筐体１０のコネクタパネル１１の小形化を図ることができると共に、機器筐体１０の設置スペースを最小限に保ったうえで、同軸ケーブル１３の曲げ半径を許容曲げ半径より大きく保つことが可能となり、同軸ケーブル１３の簡便にして、容易な着脱作業を実現することができる。
【００１８】
上記構成において、機器筐体１０は、同軸ケーブル１３の配線接続を考慮して、そのコネクタパネル１１の配された背面を、例えば室内の壁等の壁面１４に対して接近距離Ｌが約２０ｃｍ程度まで接近させた状態で据付けられる。この接近距離Ｌは、例えば同軸ケーブル１３の許容曲げ半径及びケーブル着脱作業を考慮して設定される。
【００１９】
なお、上記同軸コネクタ１２を、例えば図３に示すように機器筐体１０の壁面に直交させて突出させて配置した場合には、同軸ケーブル１３の許容曲げ半径及びケーブル着脱作業を考慮すると、上記機器筐体１０の背面と室内の壁等の壁面１４との接近距離Ｌ１を、約６０ｃｍ程度まで広げる必要がある。
【００２０】
この据付け状態において、機器筐体１０の背面側のコネクタ取付部１１１のコネクタ設置面１１２に配した５２個の同軸コネクタ１２には、同軸ケーブル１３の先端コネクタが機器筐体１０の上方から背面に挿通されて、装着されて配線接続される。この際、同軸ケーブル１３は、同軸コネクタ１２の先端部の向きに倣って壁面に沿って案内され、その許容曲げ半径内の大きな曲げ半径で配線される。
【００２１】
ここで、同軸コネクタ１２に接続された５２本の同軸ケーブル１３は、そのうち１本が図示しないキャリアアンテナ、４８本がサイドバンドアンテナ及び３本がモニターアンテナにそれぞれ配線接続される。
【００２２】
そして、この機器筐体１０の同軸コネクタ１２に装着した５２本の同軸ケーブル１３を、例えば保守点検等のために同軸コネクタ１２から離脱させる場合には、上述した装着動作と略逆の手順で機器筐体１０の上面側から所望の先端コネクタを同軸コネクタ１２から離脱させ、同軸ケーブル１３が機器筐体１０の上方から抜脱される。また、抜脱した同軸ケーブル１３を、機器筐体１０の同軸コネクタ１２に装着する場合には、その先端コネクタを機器筐体１０の上方から同軸コネクタ１２に挿入して装着することにより、配線接続される。
【００２３】
このように、上記電子機器は、機器筐体１０の背面の上下方向に複数のコネクタ取付部１１１を併設して配置し、この複数のコネクタ取付部１１１に斜め上方に傾斜させたコネクタ設置面１１２を設けて、このコネクタ設置面１１２に斜め上方に向けて複数個の同軸コネクタ１２を上下方向と直交する方向に併設して配置するように構成した。
【００２４】
これによれば、コネクタ取付部１１１の同軸コネクタ１２に対して同軸ケーブル１３が、機器筐体１０の上面側から装着されると、該同軸ケーブル１３が、同軸コネクタ１２の向きに倣って機器筐体１０の壁面に近接した大きな曲げ半径となる経路で機器筐体１０の上方に引き出される。
【００２５】
この結果、同軸ケーブル１３を、機器筐体１０の壁面に接近させた状態で、同軸コネクタ１２に対して機器筐体１０の上方から配線接続することが可能となり、同軸ケーブル１３の同軸コネクタ１２への簡便にして容易な着脱作業が実現される。また、機器筐体１０の同軸コネクタ１２の壁面１４への接近配置が可能となることにより、その設置スペースの省スペース化を実現することができる。
【００２６】
なお、上記実施の形態では、コネクタ取付部１１１のコネクタ設置面１１２に併設配置する複数の同軸コネクタ１２を、隣接するコネクタ取付部１１１のコネクタ設置面１１２に併設配置される複数の同軸コネクタ１２と併設方向に、千鳥状に互い違いに位置をずらせて併設配置するように構成した場合について説明したが、これに限ることなく、その他、例えばコネクタ取付部１１１のコネクタ設置面１１２に併設配置する複数の同軸コネクタ１２を、隣接するコネクタ取付部１１１のコネクタ設置面１１２に併設配置する複数の同軸コネクタ１２と並べて配置するように構成してもよい。
【００２７】
また、上記実施の形態では、コネクタ取付部１１１を、コネクタパネル１１を介して機器筐体１０に設けるように構成した場合について説明したが、これに限ることなく、同軸コネクタ１２の配されるコネクタ取付部１１１を機器筐体１０の壁面に直接的に形成するように構成してもよい。
【００２８】
さらに、上記実施の形態では、コネクタ取付部１１１を機器筐体１０の壁面のうち背面に配置するように構成した場合について説明したが、これに限ることなく、その他、機器筐体１０の背面側以外の壁面に設けるように構成することも可能で、同様に有効な効果を期待することができる。
【００２９】
また、上記実施の形態では、ＤＶＯＲ装置に適用した場合について説明したが、これに限ることなく、その他、同軸ケーブル１３が配線接続される複数の同軸コネクタ１２を備える送受信機等の電子機器においても適用可能で、同様に有効な効果が期待される。
【００３０】
よって、この発明は、上記実施の形態に限ることなく、その他、実施段階ではその要旨を逸脱しない範囲で種々の変形を実施し得ることが可能である。さらに、上記実施の形態には、種々の段階の発明が含まれており、開示される複数の構成要件における適宜な組合せにより種々の発明が抽出され得る。
【００３１】
例えば実施の形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００３２】
【図１】この発明の一実施の形態に係る電子機器の機器筐体の側面を示した平面図である。
【図２】図１の機器筐体の背面を示した平面図である。
【図３】図１の作用効果を説明するために示した平面図である。
【符号の説明】
【００３３】
１０…機器筐体、１１…コネクタパネル、１１１…コネクタ取付部、１１２…コネクタ設置面、１２…同軸コネクタ、１３…同軸ケーブル、１４…壁面。
【図１】
2009059529.tif 000003
【図２】
2009059529.tif 000004
【図３】
2009059529.tif 000005